(57)【要約】【課題】止水性能を向上できる屋根体を提供すること。【解決手段】所定方向に並んで連設されて互いが嵌合して連結される複数の長尺材４１を有する屋根体４であって、屋根体４の端部において屋根体４の下面４ｂの下方に配置され、複数の長尺材４１が並ぶ方向に延びて形成されると共に、屋根体４の端部から排出される水を底面８４３で受け止めて流通させる水受け流路部８４０を備え、水受け流路部８４０は、水受け流路部８４０の底面８４３と屋根体４の下面４ｂとの間に水を充満可能に屋根体４の下面４ｂの下方に配置されると共に、屋根体４の下面４ｂの下方において隣接する長尺材４１の嵌合部分４５０に跨って形成され、屋根体４の下面４ｂと水受け流路部８４０の底面８４３との間に水が充満した場合における水が流通する部分の断面積Ｓ１は、隣接する長尺材４１同士の嵌合部分４５０において下方に開放する嵌合隙間４５１の断面積Ｓ２よりも大きい。【選択図】図１４
2019131999.tif 000002
【特許請求の範囲】
【請求項１】
所定方向に並んで連設されて互いが嵌合して連結される複数の長尺材を有する屋根体であって、
前記屋根体の端部において前記屋根体の下面の下方に配置され、前記複数の長尺材が並ぶ方向に延びて形成されると共に、前記屋根体の端部から排出される水を底面で受け止めて流通させる水受け流路部を備え、
前記水受け流路部は、前記水受け流路部の底面と前記屋根体の下面との間に水を充満可能に前記屋根体の下面の下方に配置されると共に、前記屋根体の下面の下方において隣接する長尺材の嵌合部分に跨って形成され、
前記屋根体の下面と前記水受け流路部の底面との間に水が充満した場合における水が流通する部分の断面積は、隣接する長尺材同士の嵌合部分において下方に開放する嵌合隙間の断面積よりも大きい屋根体。
【請求項２】
前記水受け流路部の底面は、前記水受け流路部の長手方向の他方側から一方側に向かうに従って下る下り傾斜に形成される請求項１に記載の屋根体。
【請求項３】
前記水受け流路部の底面の幅方向の中央寄りには、前記水受け流路部の長手方向に延びる凸部が設けられる請求項１又は２に記載の屋根体。
【請求項４】
柱材と、
前記柱材に接続される梁と、
前記梁に直接的に又は間接的に接続される請求項１から３のいずれかに記載の屋根体と、を備える屋根構造体。
【発明の詳細な説明】
【技術分野】
【０００１】
本発明は、屋根体及び屋根構造体に関する。
【背景技術】
【０００２】
従来、柱材と、屋根体と、を備えるカーポート（屋根構造体）が知られている（例えば、特許文献１参照）。特許文献１に記載のカーポートは、屋根体の端部に配置される枠材のうちの後枠に集水樋を設けて、排水性能を高めている。
【先行技術文献】
【特許文献】
【０００３】
【特許文献１】特許第５１８５５２３号公報
【発明の概要】
【発明が解決しようとする課題】
【０００４】
カーポートにおいて、屋根体の下面の下方に配置され屋根体の端部から排出される水を流通させる排水流路部を設ける場合がある。排水流路部を設ける場合に、排水流路部から水が溢れてしまい、屋根体の下面に回り込んで、屋根体の下面から水が落下することがあった。そのため、屋根体の止水性能を向上させることが求められている。
【０００５】
本発明は、止水性能を向上できる屋根体及び屋根構造体を提供することを目的とする。
【課題を解決するための手段】
【０００６】
本発明は、所定方向に並んで連設されて互いが嵌合して連結される複数の長尺材（例えば、後述の長尺形材４１）を有する屋根体（例えば、後述の屋根体４）であって、前記屋根体の端部において前記屋根体の下面（例えば、後述の）の下方に配置され、前記複数の長尺材が並ぶ方向に延びて形成されると共に、前記屋根体の端部から排出される水を底面（例えば、後述の底面部８４３）で受け止めて流通させる水受け流路部（例えば、後述の水受け流路部８４０）を備え、前記水受け流路部は、前記水受け流路部の底面と前記屋根体の下面との間に水を充満可能に前記屋根体の下面の下方に配置されると共に、前記屋根体の下面の下方において隣接する長尺材の嵌合部分（例えば、後述の嵌合部分４５０）に跨って形成され、前記屋根体の下面と前記水受け流路部の底面との間に水が充満した場合における水が流通する部分の断面積（例えば、後述の断面積Ｓ１，Ｓ１Ａ）は、隣接する長尺材同士の嵌合部分において下方に開放する嵌合隙間（例えば、後述の嵌合隙間４５１）の断面積（例えば、後述の断面積Ｓ２）よりも大きい屋根体に関する。
【０００７】
また、前記水受け流路部の底面は、前記水受け流路部の長手方向の他方側から一方側に向かうに従って下る下り傾斜に形成されることが好ましい。
【０００８】
また、前記水受け流路部の底面の幅方向の中央寄りには、前記水受け流路部の長手方向に延びる凸部（例えば、後述の突起８４６）が設けられることが好ましい。
【０００９】
また、本発明は、柱材と、前記柱材に接続される梁と、前記梁に直接的に又は間接的に接続される前記屋根体と、を備える屋根構造体に関する。
【発明の効果】
【００１０】
本発明によれば、止水性能を向上できる屋根体及び屋根構造体を提供することができる。
【図面の簡単な説明】
【００１１】
【図１】本発明の一実施形態に係るカーポートを上方側から見た斜視図である。
【図２】本発明の一実施形態に係るカーポートを下方側から見た斜視図である。
【図３】屋根体の左右方向の下流側端部側の構造を示す要部拡大斜視図である。
【図４】図１におけるＡ−Ａ線断面図である。
【図５】屋根体を構成する下流側樋構成形材の梁への接続構造を示す断面図である。
【図６】屋根体を構成する中間形材の梁への接続構造を示す断面図である。
【図７】図１におけるＢ−Ｂ線断面図である。
【図８】屋根体側部枠材を示す斜視図である。
【図９】屋根体側部枠材を取り付けた状態で屋根体の前後方向の端部を下方側から見た斜視図である。
【図１０】屋根体側部枠材を取り付けた状態で屋根体の前後方向の端部を上方側から見た斜視図である。
【図１１】屋根体の前後方向の端部における連結端部止水部を示す斜視図である。
【図１２】（ａ）は、水受け流路部に充満された場合の水が流れる部分の断面積を示す図であり、（ｂ）は、隣接する長尺形材同士の嵌合部分の嵌合隙間の断面積を示す図である。
【図１３】水受け流路部を流れる水を示す図であって、（ａ）、（ｂ）及び（ｃ）の順に水が充填される様子を示す図である。
【図１４】水受け流路部を流れる水が、水の表面張力により、屋根体の下面において、嵌合隙間側へ移動せずに、水受け流路部側に戻される様子を説明する図である。
【図１５】変形形態を示す図であって、前記実施形態の図１２（ａ）に対応する図である。
【発明を実施するための形態】
【００１２】
以下、本発明の屋根構造体の一実施形態について、図面を参照しながら説明する。本実施形態においては、屋根構造体をカーポート１に適用した例について説明する。カーポート１は、屋根体４の下方に、１台又は複数台の自動車の駐車スペースが確保されている。なお、本実施形態においては、屋根構造体をカーポート１に適用した例について説明するが、これに限定されない。また、屋根構造体を、カーポート以外の構造物、例えば、駐輪場、シェルター、休憩所、テラス、バス停などの構造物に適用してもよい。
【００１３】
図１は、本発明の一実施形態に係るカーポート１を上方側から見た斜視図である。図２は、本発明の一実施形態に係るカーポート１を下方側から見た斜視図である。図３は、屋根体４の左右方向の下流側端部側の構造を示す要部拡大斜視図である。図４は、図１におけるＡ−Ａ線断面図である。図５は、屋根体４を構成する下流側樋構成形材４２の梁３への接続構造を示す断面図である。図６は、屋根体４を構成する中間形材４３の梁３への接続構造を示す断面図である。図７は、図１におけるＢ−Ｂ線断面図である。図８は、屋根体側部枠材８を示す斜視図である。図９は、屋根体側部枠材８を取り付けた状態で屋根体４の前後方向の端部を下方側から見た斜視図である。図１０は、屋根体側部枠材８を取り付けた状態で屋根体４の前後方向の端部を上方側から見た斜視図である。図１１は、屋根体４の前後方向の端部における連結端部止水部４８０を示す斜視図である。図１２（ａ）は、水受け流路部８４０に充満された場合の水が流れる部分の断面積Ｓ１を示す図であり、図１２（ｂ）は、隣接する長尺形材４１同士の嵌合部分４５０の嵌合隙間４５１の断面積Ｓ２を示す図である。
【００１４】
なお、本実施形態の説明においては、カーポート１の屋根体４を構成する複数の長尺形材（長尺材）４１が延びる方向を前後方向（長尺形材４１の長手方向）ともいう。また、図１において、カーポート１の左手前側を前側ともいい、カーポート１の右奥側を後側ともいう。また、梁３が延びる方向であって、長尺形材（長尺材）４１が延びる前後方向に直交する方向を左右方向（長尺形材４１の長手方向に交差する方向）ともいう。本実施形態においては、屋根体４が左右方向において傾斜しており、屋根体４の左右方向を傾斜方向ともいい、図１における左奥側を上流側ともいい、図１における右手間側を下流側ともいう。
【００１５】
まず、本実施形態のカーポート１の全体構造について説明する。本実施形態のカーポート１は、図１及び図２に示すように、屋根体４を左右方向の両側それぞれにおいて一対の支柱２で支持する、いわゆる、両支持構造のカーポートである。また、本実施形態のカーポート１は、支柱２に接続された梁３の下部（下方）に、屋根体４が吊られて接続される吊構造で構成される。
【００１６】
図１及び図２に示すように、本実施形態のカーポート１は、地面１１に立設される２組の一対の支柱２（柱材）と、支柱２の上端部から支柱２に交差する方向に延びる２つの梁３と、２つの梁３の下方に配置され屋根体端部側樋構造４０を有する屋根体４と、を備える。支柱２及び梁３は、アルミ材料の押出し形材で形成され、断面が中空状の中空部を有するホロー構造を有する。
【００１７】
２組の支柱２（柱材）は、図１及び図２に示すように、一対の支柱２が前後方向に２組並んで配置される。一対の支柱２は、カーポート１の左右方向の両側に屋根体４を挟んで対向して配置され、梁３の左右方向の両端部に接続される。
【００１８】
２組の一対の支柱２は、図１に示すように、カーポート１の前後方向に離間して配置される。支柱２は、上下方向に延びて形成される。支柱２は、図１に示すように、横断面が角筒状に形成される中空状の支柱本体部２１と、支柱本体部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００１９】
支柱２と支柱カバー部材２３との間には、図３及び図４に示すように、屋根体４の左右方向の下流側において、屋根体４の屋根体端部側樋構造４０（後述）から排出された水が流される。屋根体４の左右方向の下流側に配置される支柱２と支柱カバー部材２３との間には屋根体４の屋根体端部側樋構造４０（後述）から排出された水が流入して水が流れるため、支柱２及び支柱カバー部材２３は支柱側樋構成部２０（柱材側樋構造）として構成される。本実施形態においては、支柱２と支柱カバー部材２３との間に雨樋用のホースなどが配置されずに、支柱２及び支柱カバー部材２３だけで、縦樋を構成する。
【００２０】
２つの梁３は、図１に示すように、カーポート１の前後方向に離間して配置される。２つの梁３は、それぞれ、屋根体４の左右方向に延びる。２つの梁３の左右方向の両端部（右側及び左側の端部）は、図４に示すように、Ｌ字状の接続部材２５を介して、支柱２の上端部に接続される。２つの梁３の下部には、屋根体４が接続される。
【００２１】
２つの梁３は、図１及び図３に示すように、それぞれ、断面が角筒状に形成される梁側ホロー部３１と、延出板部３２と、を有する。本実施形態においては、２つの梁３は、屋根体４の前後方向に離間して対向して配置されており、梁３の対向面（梁３の面における対向する別の梁３側の面）側の構成は、同様の構成である。
【００２２】
延出板部３２は、梁側ホロー部３１の下端部から、屋根体４における前後方向の中央側（一対の梁３のうち、当該梁３とは別の梁３側）に向けて延出すると共に、左右方向に延びる板状に形成される。
【００２３】
延出板部３２は、図３及び図４に示すように、左右方向に並んで複数配置されるネジ部材１０１により、延出板部３２において、屋根体４に固定される。
【００２４】
屋根体４は、図１に示すように、屋根体４が２つの梁３の下部に吊られて配置される吊り下げ構造であって、２つの梁３の下部に取り付けられる（接続される）。屋根体４は、複数の長尺形材（長尺材）４１が、梁３が延びる方向に並んで連設されて互いが嵌合して連結されて構成される。
【００２５】
屋根体４の上面４ａは、図４に示すように、屋根体４の左右方向において、例えば、傾斜角度αの角度で、屋根体４の左右方向の一方側（図４における右側）が下る下り傾斜に形成される（屋根体４の他方側（図４における左側）から一方側（図４における右側）に向かうに従って下るように傾斜する）。そのため、屋根体４の上面４ａを流れる水の流れとしては、屋根体４の左右方向の一方側（図４における右側）が下流側となる。本実施形態においては、例えば、屋根体４の左右方向の傾斜角度αを１°〜２°程度に設定している。また、屋根体４は、前後方向においては、傾斜していない。
【００２６】
複数の長尺形材４１は、図１及び図３に示すように、それぞれ、カーポート１の前後方向（梁３が延びる方向に直交する方向）に延びている。複数の長尺形材４１は、それぞれ、アルミ材料の押出し形材で形成され、断面が中空状に形成される中空部を有するホロー構造を備える。屋根体４は、上面４ａ及び下面４ｂがフラット（平面状）に形成される。本実施形態では、屋根体４の上面４ａが平面状に形成されることから、屋根体４を傾かせるだけで、屋根体４の上面４ａの水を、容易に、屋根体４の傾斜面に沿って流すように構成している。
【００２７】
ここで、以下の長尺形材４１の説明において、左右方向の区別が必要な場合には、図４〜図６等における右側を、一方側といい、図４〜図６等における左側を、他方側という。
【００２８】
屋根体４を構成する複数の長尺形材４１は、図４〜図６に示すように、左右方向に並んで配置され、一方側の端部に配置される下流側樋構成形材４２と、他方側の端部に配置される上流側構成形材４４と、左右方向において下流側樋構成形材４２と上流側構成形材４４との間に配置される複数の中間形材４３と、により構成される。複数の長尺形材４１は、それぞれ、梁３に接続される。
【００２９】
下流側樋構成形材４２は、図４に示すように、複数の長尺形材４１のうち、複数の長尺形材４１が並ぶ方向の一方側の端部（屋根体４の左右方向の下流側の端部）に配置される長尺形材であり、屋根体４において、複数の長尺形材４１が並ぶ方向の一方側の端部（屋根体４の下流側の端部）に並列に配置される。下流側樋構成形材４２は、中空部を有さないソリッド状の部材により形成され、上部側が上方側に向けて開口する長尺形材により形成される。これにより、下流側樋構成形材４２は、屋根体４の上面４ａから凹む凹状の屋根体端部側樋構造４０として構成される。屋根体端部側樋構造４０は、長尺形材４１（下流側樋構成形材４２）の長手方向に沿って延びて構成される。屋根体端部側樋構造４０は、下流側樋構成形材４２の長手方向に延びて形成され、支柱２と支柱カバー部材２３との間の支柱側樋構成部２０（柱材側樋構造）に接続される。
【００３０】
また、上流側構成形材４４は、複数の長尺形材４１のうち、複数の長尺形材４１が並ぶ方向の他方側の端部（屋根体４の左右方向の上流側の端部）に配置される長尺形材であり、屋根体４において、複数の長尺形材４１が並ぶ方向の他方側の上流側の端部に並列に配置される。上流側構成形材４４は、中空部を有するホロー構造を備えて形成される長尺形材により形成される。
【００３１】
また、複数の中間形材４３は、屋根体４の左右方向において、下流側樋構成形材４２と上流側構成形材４４との間に並んで配置される。複数の中間形材４３は、中空部を有するホロー構造を備えて形成される長尺形材により形成される。
【００３２】
図４に示すように、長尺形材４１における下流側樋構成形材４２の左右方向の一方側の部分と梁３の延出板部３２とは、複数のネジ部材１０１のうちのネジ部材１０２で固定される。また、長尺形材４１における下流側樋構成形材４２の他方側の部分と梁３の延出板部３２とは、複数のネジ部材１０１のうちのネジ部材１０３で固定される。
長尺形材４１における中間形材４３の他方側の部分と梁３の延出板部３２とは、複数のネジ部材１０１のうちのネジ部材１０３で固定される。
長尺形材４１における上流側構成形材４４の左右方向の他方側の部分と梁３の延出板部３２とは、複数のネジ部材１０１のうちのネジ部材１０４で固定される。
【００３３】
下流側樋構成形材４２は、図５に示すように。屋根体４の左右方向の一方側に形成される上方に向けて開放したソリッド状の端部側ソリッド状樋構成部４２１と、屋根体４の左右方向の他方側に形成される他方側上部外方延出片４２７（接続される部分）と、屋根体４の左右方向の他方側に形成される他方側下部外方片４２８と、を有する。
【００３４】
端部側ソリッド状樋構成部４２１は、上方が開放する略Ｕ字形状の凹状の樋構成部本体４２２と、屋根体４の左右方向の一方側に配置される一方側上部内方延出片４２３（接続される部分）と、他方側上部内方延出片４２４と、水切りフィン４２５と、一方側上部壁４２６と、を有する。
【００３５】
樋構成部本体４２２は、屋根体４の上面４ａにおいて支柱２側に流された水を、上方の開放された部分から導入して受け止める。樋構成部本体４２２の左右方向の一方側の側面には、導出開口４２２ａ（排水口）が形成される。
【００３６】
導出開口４２２ａは、屋根体４の左右方向の下流側の端部において、樋構成部本体４２２の側面を支柱２側の側方に貫通して形成される。導出開口４２２ａには、誘導部材２６の屋根体側開口部２６１（後述）が接続される。
【００３７】
誘導部材２６は、図３及び図５に示すように、屋根体端部側樋構造４０に流れ込んで滞留した水を、支柱側樋構成部２０に誘導する。誘導部材２６は、誘導部材本体２７と、フィルタ部材２８と、を有する。誘導部材本体２７は、Ｌ字状の筒状に形成され、側部に形成された屋根体側開口部２６１と、下端部に形成された支柱側開口部２６２と、を有する。誘導部材本体２７は、一方側の屋根体側開口部２６１が樋構成部本体４２２（屋根体端部側樋構造４０）の側面に形成された導出開口４２２ａに接続されると共に、他方側の支柱側開口部２６２が支柱側樋構成部２０の内部に開口される。
【００３８】
フィルタ部材２８は、図５に示すように、誘導部材本体２７の屋根体側開口部２６１に配置される。フィルタ部材２８は、誘導部材２６に誘導された汚れ（例えば、落ち葉など）をせき止めて捕捉する。フィルタ部材２８は、上下方向に延びる複数の板材で形成される。フィルタ部材２８の複数の板材は、屋根体側開口部２６１を複数の開口に仕切るように、屋根体側開口部２６１の横方向に並んで配置される。
【００３９】
一方側上部内方延出片４２３は、図５に示すように、端部側ソリッド状樋構成部４２１の一方側において、端部側ソリッド状樋構成部４２１の上方側の他方側の内面から他方側に突出する。一方側上部内方延出片４２３の上面には、梁３の延出板部３２が配置される。梁３の延出板部３２及び一方側上部内方延出片４２３は、ネジ部材１０２により共締めされる。
【００４０】
他方側上部内方延出片４２４は、端部側ソリッド状樋構成部４２１の幅方向の一方側と反対側の他方側において、端部側ソリッド状樋構成部４２１の上端部から内側に突出する。他方側上部内方延出片４２４の一方側の端部には、下方に突出する引っ掛け突出片４２４ａが形成される。
【００４１】
下流側樋構成形材４２を梁３に取り付ける場合には、下流側樋構成形材４２の引っ掛け突出片４２４ａを、梁３の延出板部３２の下面に固定されたフック部１１０の立ち上がり板１１０ｄに引っ掛けることで、下流側樋構成形材４２を、梁３の延出板部３２の下面に仮置きできる。また、下流側樋構成形材４２の引っ掛け突出片４２４ａを梁３の延出板部３２の下面に固定されたフック部１１０の立ち上がり板１１０ｄに引っ掛けた状態で、引っ掛け突出片４２４ａを中心に下流側樋構成形材４２を回転することで、下流側樋構成形材４２を、取り付け位置に配置できる。
【００４２】
フック部１１０は、図５に示すように、梁３の延出板部３２の下面にネジ部材１０５により固定される取付板１１０ａと、取付板１１０ａの他方側の端部から下方に延びる上下方向延在板１１０ｂと、上下方向延在板１１０ｂの下端部から他方側に延びる底面板１１０ｃと、底面板１１０ｃの他方側の端部から立ち上がる立ち上がり板１１０ｄと、を有する。
【００４３】
下流側樋構成形材４２の引っ掛け突出片４２４ａは、下流側樋構成形材４２が梁３に固定された状態においては、フック部１１０の上方に配置される。これにより、下流側樋構成形材４２が梁３に固定された状態において、下流側樋構成形材４２を固定するネジ部材１０２，１０３が外れた場合においても、引っ掛け突出片４２４ａは、フック部１１０の立ち上がり板１１０ｄに引っ掛かって、下流側樋構成形材４２の落下を抑制できる。
【００４４】
水切りフィン４２５は、樋構成部本体４２２における屋根体４の一方側において、樋構成部本体４２２の下端部から下方に突出する。水切りフィン４２５の下端部４２５ａの位置は、上下方向において、支柱カバー部材２３の上端部よりも下方に位置する。
【００４５】
水切りフィン４２５は、屋根体側部枠材８（後述）により伝達された水を、屋根体４の下面４ｂに回り込まないように、屋根体４の下方に落下させる。
【００４６】
一方側上部壁４２６は、屋根体４の一方側の端部において、屋根体４の上面４ａから立設して形成される。一方側上部壁４２６は、屋根体４の一方側の端部において、水の飛び出しを低減する。
【００４７】
他方側上部外方延出片４２７は、樋構成部本体４２２における屋根体４の左右方向の他方側（図５における左側）の上端部から左右方向の他方側に向けて延出する。他方側上部外方延出片４２７は、下流側樋構成形材４２の左右方向の他方側の端部の上端部に配置され、ネジ部材１０３により梁３の延出板部３２に固定される固定部（接続される部分）を構成する。他方側上部外方延出片４２７は、中間形材４３における引っ掛け係合部４２８ａの上方に形成される。
【００４８】
他方側上部外方延出片４２７における屋根体４の左右方向の他方側（図５における左側）の端部には、側方に延出する側方延出壁４２７ｂと、下方延出壁４２７ｃと、が形成される。
【００４９】
下方延出壁４２７ｃにおける屋根体４の左右方向の他方側の面には、隣接する中間形材４３の一方側の端部に取り付けられるビード材４０１（止水材）が押圧される。ビード材４０１は、下流側樋構成形材４２と中間形材４３との連結部分に配置される止水部として機能する。ビード材４０１は、下流側樋構成形材４２及び隣接する中間形材４３（長尺形材４１）の連結部分が延びる方向、即ち、長尺形材４１の長尺方向（長手方向）に沿って延びるように形成される。
【００５０】
他方側下部外方片４２８は、樋構成部本体４２２における屋根体４の左右方向の他方側の下端部から他方側に延出する。他方側下部外方片４２８における他方側の端部には、上方側に突出する引っ掛け係合部４２８ａが形成される。
【００５１】
引っ掛け係合部４２８ａは、図５に示すように、梁３に取り付けられた下流側樋構成形材４２の左右方向の他方側の端部において、下流側樋構成形材４２の下端部に形成される。引っ掛け係合部４２８ａは、梁３に取り付けられた下流側樋構成形材４２の左右方向の他方側の端部において、下流側樋構成形材４２の下端部に配置される他方側下部外方片４２８から上方に立ち上がると共に、立ち上がった上端部において長手方向に直交する幅方向に延びるＴ字状に形成される。
【００５２】
中間形材４３の引っ掛け係合部４２８ａは、隣接する中間形材４３の一方側の下端部の側面から一方側に突出する一方側下部突出片４３６と、隣接する中間形材４３の一方側の端部に形成される引っ掛け延出片４３５の引っ掛け片４３５ｂと、（後述）に係合可能である。
【００５３】
他方側下部外方片４２８の上面には、隣接する長尺形材４１の中間形材４３における中段樋構成部４１０（止水部）から溢れた水が流通する。他方側下部外方片４２８の上面は、屋根体４の内部において、上下方向の下段に位置する下段樋構成部４２０を構成する。下段樋構成部４２０は、水を流す樋機能を有すると共に、止水部として機能する。下段樋構成部４２０は、ビード材４０１を通過して中段樋構成部４１０に受け止められて中段樋構成部４１０（止水部）から溢れた水を受け止める。下段樋構成部４２０は、中段樋構成部４１０から溢れて受け止めた水を前後方向の両端部側に流通させる。
【００５４】
つまり、屋根体４は、隣接する長尺形材４１の連結部分において、図５に示すように、２段の樋構造を備えており、上段側に配置されると共に上段側で水を受け止める中段樋構成部４１０と、下段側に配置されると共に下段側で中段樋構成部４１０から溢れた水を受け止める下段樋構成部４２０と、を備えている。中段樋構成部４１０及び下段樋構成部４２０は、隣接する長尺形材４１の連結部分が延びる方向、即ち、長尺形材４１の長尺方向（長手方向）に沿って延びる。
【００５５】
下流側樋構成形材４２は、図５に示すように、屋根体４の左右方向の一方側において、上方側から移動されるネジ部材１０２により、梁３の延出板部３２と共締めされる。
また、下流側樋構成形材４２は、屋根体４の左右方向の他方側において、上方側から移動されるネジ部材１０３により、他方側上部外方延出片４２７は、梁３の延出板部３２と共締めされる。
【００５６】
中間形材４３は、図４に示すように、左右方向の一端側に配置される下流側樋構成形材４２と他端側に配置される上流側構成形材４４との間に複数並んで配置される。中間形材４３は、図６に示すように、一方側に配置される第１中間ホロー部４３１と、第１中間ホロー部４３１の左右方向の他方側に配置される第２中間ホロー部４３２と、第１中間ホロー部４３１における一方側の上端部の側面に形成されるビード材取付凹部４３３と、第１中間ホロー部４３１の中間形材４３側の面において上下方向の略中央から中間形材４３側に延在するＬ字状の中段樋部４３４と、中段樋部４３４の一方側の端部の下端部から下方に延びるＬ字状の引っ掛け延出片４３５と、第１中間ホロー部４３１における中間形材４３側の下端部の側面から一方側に突出する一方側下部突出片４３６と、他方側上部外方延出片４３７（接続される部分）と、他方側下部外方片４３８と、を有する。
【００５７】
中段樋部４３４の一方側の端部の下方側には、図６に示すように、下方に開口（開放）する開口部４３９が形成される。開口部４３９は、中段樋部４３４における第１中間ホロー部４３１の一方側に配置される上下方向に延びる端辺４３１ａと、Ｌ字状の引っ掛け延出片４３５とにより形成される。開口部４３９の開口縁には、開口部４３９の開口縁から開口部４３９の内側に互いに対向して突出する対向突出部４３９ａが形成される。本実施形態においては、対向突出部４３９ａは、一方側下部突出片４３６と、Ｌ字状の引っ掛け延出片４３５の引っ掛け片４３５ｂ（後述）と、により構成され、互いが近づくように、開口部４３９の内側に向けて突出して延びる。
【００５８】
以上のように構成される下流側樋構成形材４２及び中間形材４３においては、隣接する下流側樋構成形材４２及び中間形材４３が連結した状態において、下流側樋構成形材４２の引っ掛け係合部４２８ａは、隣接する中間形材４３の開口部４３９の内部に配置された状態で、上下方向の移動を規制するように、対向突出部４３９ａ（一方側下部突出片４３６、Ｌ字状の引っ掛け延出片４３５の引っ掛け片４３５ｂ）に引っ掛かって嵌合する。
【００５９】
ビード材取付凹部４３３は、一方側に隣接する下流側樋構成形材４２の下方延出壁４２７ｃに対向して配置される。図５及び図６に示すように、ビード材取付凹部４３３の上面４３３ａは、屋根体４の上面４ａから一段下がった位置に形成される。ビード材取付凹部４３３の上面４３３ａには、側方延出壁４２７ｂが配置される。つまり、側方延出壁４２７ｂは、ビード材取付凹部４３３の上面４３３ａに重なって配置される。ビード材取付凹部４３３は、隣接する長尺形材４１の連結部分が延びる方向、即ち、長尺形材４１の長尺方向（長手方向）に沿って延びる。
【００６０】
ビード材取付凹部４３３には、ビード材４０１が取り付けられる。ビード材４０１は、ビード材取付凹部４３３に取り付けられた状態で、一方側に隣接する下流側樋構成形材４２の下方延出壁４２７ｃを押圧する。ビード材４０１は、下流側樋構成形材４２と中間形材４３との連結部分に配置され、止水部として機能する。
以上のように、ビード材取付凹部４３３の上面４３３ａには、側方延出壁４２７ｂが重なって配置される。このため、ビード材４０１が外部に直接露出されないため、ビード材４０１の耐候性を向上でき、ビード材４０１の劣化を低減できる。
【００６１】
中段樋部４３４は、底壁部４３４ａと、立設片４３４ｂと、を有する。中段樋部４３４は、屋根体４の内部において、上下方向の中段に位置する中段樋構成部４１０を構成する。中段樋構成部４１０は、水を流す樋機能を有すると共に、止水部として機能する。中段樋構成部４１０は、ビード材４０１で止水できなかったビード材４０１を通過した水を受け止めて、受け止めた水を前後方向の両端部側に流通させる。
【００６２】
Ｌ字状の引っ掛け延出片４３５は、下方延出片４３５ａと、下方延出片４３５ａの下端部から中間形材４３の幅方向中央部に向かう引っ掛け片４３５ｂと、を有する。引っ掛け片４３５ｂは、隣接する下流側樋構成形材４２の他方側の端部に形成される引っ掛け係合部４２８ａに係合可能である。引っ掛け片４３５ｂは、引っ掛け係合部４２８ａに係合した状態で、引っ掛け係合部４２８ａを中心に回転可能である。
【００６３】
下流側樋構成形材４２の隣りに、隣接する中間形材４３を取り付ける場合には、梁３の延出板部３２が接続された下流側樋構成形材４２の引っ掛け係合部４２８ａに、中間形材４３の引っ掛け延出片４３５を引っ掛けることで、梁３の下方において、中間形材４３を仮置きできる。また、下流側樋構成形材４２の引っ掛け係合部４２８ａに中間形材４３の引っ掛け延出片４３５を引っ掛けた状態で、引っ掛け延出片４３５の先端を中心に中間形材４３を回転することで、中間形材４３を取り付け位置に配置できる。
中間形材４３を取り付け位置に配置した状態においては、下流側樋構成形材４２における左右方向の他方側には、下流側樋構成形材４２の引っ掛け係合部４２８ａに中間形材４３の引っ掛け延出片４３５が嵌合した状態で、中間形材４３が取り付けられる。
【００６４】
中間形材４３の他方側上部外方延出片４３７及び他方側下部外方片４３８については、説明しない点については、下流側樋構成形材４２の他方側上部外方延出片４２７及び他方側下部外方片４２８の構造と同様である。そのため、中間形材４３の他方側上部外方延出片４３７及び他方側下部外方片４３８の構造については、図６において下流側樋構成形材４２の構造に対応する符号を付して、その説明を省略する。
【００６５】
また、連続して配置される複数の中間形材４３の構成は全て同様の構成であるため、その説明を省略する。梁３に接続した中間形材４３の隣りに、隣接する中間形材４３を取り付ける場合には、下流側樋構成形材４２の隣りに中間形材４３を取り付ける場合と同様に、梁３の延出板部３２に接続された中間形材４３の引っ掛け係合部４３８ａに、中間形材４３の引っ掛け延出片４３５を引っ掛けることで、梁３の下方において、中間形材４３を仮置きできる。また、中間形材４３の引っ掛け係合部４３８ａに中間形材４３の引っ掛け延出片４３５を引っ掛けた状態で、引っ掛け延出片４３５を中心に中間形材４３を回転することで、中間形材４３を取り付け位置に配置できる。隣接する中間形材４３を取り付け位置に配置した状態においては、中間形材４３における左右方向の他方側には、中間形材４３の引っ掛け係合部４３８ａに、隣接する中間形材４３の引っ掛け延出片４３５が嵌合した状態で、隣接する中間形材４３が取り付けられる。
【００６６】
屋根体４の左右方向の他方側の端部に配置される上流側構成形材４４は、一方側の端部の構成が、中間形材４３の一方側の端部の構成と同様であり、他方側の端部の構成は、ネジ部材１０４により、他方側の端部の上面が梁３の延出板部３２に固定される。そのため、屋根体４の左右方向の他方側の端部に配置される上流側構成形材４４の説明を省略する。
【００６７】
以上のように構成される屋根体４は、図５〜図７に示すように、アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、中空部を有する形材で構成することで、屋根体４自体を強度部材として使用でき、屋根体４の強度を出すための部材を別に設ける必要がない。よって、屋根体４を構成する部材の部品点数を低減できる。
【００６８】
また、屋根体端部側樋構造４０は、上部側が開口しているため、屋根体４の下方から見た場合に、長尺形材４１のフラットな（平面状の）下面４ｂが見えるだけで、屋根体４の上面４ａ側に樋が存在することを認識させずに樋を構成できる。そのため、複数の長尺形材４１が並んで連設されることで屋根体４を構成しており、屋根体４の下面４ｂを平面状に形成されるため、屋根体４を下方から見た場合の意匠性を向上できる。
【００６９】
屋根体４は、図１に示すように、屋根体４の前後方向の両端部に配置される一対の屋根体側部枠材８（枠材）を有する。一対の屋根体側部枠材８は、図１、図７〜図１１に示すように、屋根体４の前後方向の両端部において、屋根体４の左右方向（長尺形材４１の長手方向に直交（交差）する方向）に延びて配置される。
【００７０】
一対の屋根体側部枠材８は、屋根体４の前後方向の両端部において、長尺形材４１の側部（端部）を覆うように配置される。屋根体側部枠材８は、図７及び図８に示すように、上面カバー部８１（上面板部）と、側面カバー部８２（上下方向延在部）と、下方側内方延出部８３（下面板部）と、を有する。屋根体側部枠材８の上面カバー部８１は、屋根体４の左右方向に並ぶ複数のネジ部材１０７により、屋根体４の上面に固定される。
【００７１】
側面カバー部８２は、上下方向に延びて形成され、屋根体４の前後方向の端部を覆うように、長尺形材４１の長手方向の端部の側部の外側において、複数の長尺形材４１の端面に対面して配置される。側面カバー部８２は、上下方向に所定の長さを有し、かつ、屋根体４の傾斜方向に沿って左右方向に延びる板状に形成される。
【００７２】
側面カバー部８２は、上下方向に延びる側面板部８２０と、側面板部８２０から上方に突出する上部突出部８２１と、側面板部８２０から下方に突出する水切り突状部（水切りフィン）８２３と、側面板部８２０の内面から内側に突出する２つの突状部８２４と、を有する。
【００７３】
上面カバー部８１は、図７に示すように、板状に形成され、屋根体４の両端部の上面４ａの上方側に配置される。上面カバー部８１は、側面カバー部８２の上方側の部分に接続され、屋根体４の端部の上面４ａを覆うように、側面カバー部８２の上方側の内面から、屋根体４の端部の上面４ａに沿って長尺形材４１側に所定幅で略水平に延びる。上面カバー部８１の下面には、下方に突出する下側凸部８１１と、下方に突出する２つの突き当て部８１２，８１３と、が形成される。
【００７４】
下側凸部８１１は、上面カバー部８１における屋根体４の内側の端部の下面に配置される。下側凸部８１１は、長尺形材４１の長手方向に直交する方向に沿って延びて配置され、長尺形材４１の長手方向に直交する方向の略全域に亘って延びる。下側凸部８１１は、複数の長尺形材４１の上面（屋根体４の上面４ａ）に当接する。
【００７５】
２つの突き当て部８１２，８１３は、上面カバー部８１の下面から下方に突出して形成され、上面カバー部８１の下側凸部８１１よりも長尺形材４１の長手方向の外側において、長尺形材４１の長手方向に離間して配置される。突き当て部８１２，８１３は、屋根体４において長尺形材４１の長手方向に直交する方向の略全域に亘って延びる。
【００７６】
下側凸部８１１と突き当て部８１２との間には、上面カバー部８１の下面と長尺形材４１との間において、上面シール部材８１４（第１止水材）が配置される。上面シール部材８１４は、長尺形材４１の長手方向に所定幅を有し、長尺形材４１の長手方向に直交する方向の略全域に亘って延びる。本実施形態においては、上面シール部材８１４は、例えば、弾性変形してシールする弾性の止水部材である。本実施形態では、上面シール部材８１４として、例えば、ＥＰＤＭ（エチレン・プロピレン・ジエンゴム）の発泡体を用いている。なお、上面シール部材８１４としては、ＥＰＤＭ（エチレン・プロピレン・ジエンゴム）の発泡体以外にも、弾性のある樹脂製の止水部材（例えば、ブチル、ウレタンなどの材料で製作された止水部材）でもよい。
【００７７】
下方側内方延出部８３は、図７〜図９に示すように、屋根体４の前後方向の両端部の下面４ｂの下方に配置され、側面カバー部８２から屋根体４の前後方向の両端部の下面４ｂに沿って延びる。下方側内方延出部８３は、側面カバー部８２の下方側の内面から長尺形材４１側に延出する延出接続部８３１と、延出接続部８３１の屋根体４の内側の端部に接続される水受け流路部８４０（第３止水部）と、を有する。
【００７８】
水受け流路部８４０は、屋根体４の端部において屋根体４の下面４ｂよりも下方に配置される。水受け流路部８４０は、複数の長尺形材４１が並ぶ方向に延びており、下方側内方延出部８３の長手方向の全域に亘って形成される。水受け流路部８４０は、延出接続部８３１の上面よりも窪んでおり、上方が開放した凹状に形成される。水受け流路部８４０は、中段樋構成部４１０及び下段樋構成部４２０から導出されて屋根体４の前後方向の端部から排出される水を底面部８４３で受け止める。水受け流路部８４０は、基端側が延出接続部８３１を介して側面カバー部８２に接続され、先端側には、先端側壁部８４５が形成されている。
【００７９】
水受け流路部８４０は、屋根体４の前後方向の端部から排出されて流れる水を受けて止めて屋根体４の上流側から下流側に水を流通させると共に、水を止水する止水部として機能する。水受け流路部８４０に受け止められた水は、側面カバー部８２が一方側の端部側が下る下り傾斜に構成されるため、屋根体４の一方側の端部側である左右方向の下流側に流される。水受け流路部８４０により屋根体４の左右方向の下流側に流された水は、屋根体４の下流側の端部において、屋根体４の下方に落下される。また、側面カバー部８２の水受け流路部８４０の底面部８４３の上面を流された水の一部は、屋根体４の下流側の端部から、水切りフィン４２５（図５、図７参照）に伝達される。水切りフィン４２５からは、屋根体側部枠材８の水受け流路部８４０から伝達された水が、屋根体４の下流側の端部側において屋根体４の下方に落下する。
【００８０】
水受け流路部８４０は、図７及び図８に示すように、底面部８４３と、基端側壁部８４４と、先端側壁部８４５と、突起８４６（凸部）と、を有する。
底面部８４３の上面は、水受け流路部８４０の底面を構成し、長尺形材４１の端部（中段樋構成部４１０及び下段樋構成部４２０の端部）から流出された水を受け止めて流通させる。底面部８４３の上面は、水受け流路部８４０の長手方向の他方側から一方側（屋根体４の左右方向の他方側から一方側）に向かうに従って下る下り傾斜に形成される。底面部８４３は、底面部８４３に突起８４６（後述）が底面部８４３に設けられることで、底面部８４３の幅方向において、基端側底面部８４１と、先端側底面部８４２と、に分断される。基端側底面部８４１及び先端側底面部８４２は、水受け流路部８４０の長手方向に延びる。
基端側壁部８４４は、底面部８４３の基端側の端部において、側面カバー部８２に向かうに従って上方に向かうように傾斜して立ち上がる。
先端側壁部８４５は、底面部８４３の先端側の端部において、側面カバー部８２から離れるに従って上方に向かうように傾斜して立ち上がる。
【００８１】
突起８４６は、図７及び図８に示すように、屋根体４の左右方向（傾斜方向）に延び、底面部８４３の幅方向（屋根体４の前後方向）の中央寄りに、上方に突出して形成される。突起８４６は、水受け流路部８４０において、水の流通方向に沿って延びると共に、水受け流路部８４０における水の流通方向である長手方向の全域に亘って形成される。突起８４６は、先端が丸みを帯びると共に、一方側及び他方側の立ち上がり部分の角部が、丸みを帯びたアール形状の曲面状で形成される。なお、本実施形態においては、突起８４６は、水受け流路部８４０の長手方向の全域に亘って形成されているが、これに限定されず、水受け流路部８４０の少なくとも下流側端部の底面部８４３に設けられていればよい。
【００８２】
本実施形態においては、突起８４６の高さは、基端側壁部８４４及び先端側壁部８４５の高さ以下に形成される。底面部８４３に突起８４６が底面部８４３に設けられることで、前述の通り、底面部８４３は、基端側底面部８４１と、先端側底面部８４２と、に分断される。長尺形材４１の内部を流れた水は、突起８４６により分断された基端側底面部８４１及び先端側底面部８４２の一方又は両方に流れ込んで、基端側底面部８４１及び先端側底面部８４２の一方又は両方に流通される。
【００８３】
本実施形態においては、突起８４６の高さが基端側壁部８４４及び先端側壁部８４５の高さ以下であるため、基端側底面部８４１又は先端側底面部８４２を流通する水の量が多い場合には、基端側底面部８４１又は先端側底面部８４２から溢れた水は、突起８４６を乗り越えて、互いに行き来きできる。これにより、水受け流路部８４０は、突起８４６で分断した基端側底面部８４１及び先端側底面部８４２に水を流通させることができるため、多量の水を流すことができる。
【００８４】
水受け流路部８４０は、図１２（ａ）に示すように、水受け流路部８４０の底面部８４３と屋根体４の下面４ｂとの間に水を充満可能に、屋根体４の端部において屋根体４の下面４ｂの下方に配置される。水受け流路部８４０は、図９に示すように、屋根体４の下面４ｂの下方において隣接する長尺形材４１同士の嵌合部分４５０に跨って形成される。
【００８５】
図１２（ａ）に示すように、屋根体４の下面４ｂと水受け流路部８４０の底面部８４３との間に水が充満した場合における水が流通する部分は、断面積がＳ１で、屋根体４の左右方向（長尺形材４１の長手方向に交差する方向）に延びる。また、図１２（ｂ）に示すように、隣接する長尺形材４１同士の嵌合部分４５０の嵌合隙間４５１は、断面積がＳ２で、長尺形材４１の長手方向に延びる。水受け流路部８４０が延びる方向と隣接する長尺形材４１同士の嵌合部分４５０の嵌合隙間４５１が延びる方向とは、図９に示すように、略直交している。
【００８６】
本実施形態においては、図１２（ａ）及び（ｂ）に示すように、屋根体４の下面４ｂと水受け流路部８４０の底面部８４３との間に水が充満した場合における水が流通する部分の断面積Ｓ１は、隣接する長尺形材４１同士の嵌合部分４５０において下方に開放する嵌合隙間４５１の断面積Ｓ２よりも大きい（Ｓ１＞Ｓ２）。例えば、屋根体４の下面４ｂと水受け流路部８４０の底面部８４３との間に水が充満した場合における水が流通する部分の断面積Ｓ１は、１５〜５０ｍｍ２程度であり、隣接する長尺形材４１同士の嵌合部分４５０において下方に開放する嵌合隙間４５１の断面積Ｓ２は、３〜５ｍｍ２程度である。
【００８７】
ここで、長尺形材４１の長手方向の端部の上面側の止水構造について説明する。図１０に示すように、長尺形材４１の長手方向の端部には、屋根体側部枠材８が配置される。屋根体側部枠材８の上面カバー部８１の下方側には、長尺形材４１の長手方向の端部の上面において、連結端部止水部４８０（第１止水部）が設けられる。
【００８８】
図１１及び図１２（ｂ）に示すように、長尺形材４１の長手方向の端部において、長尺形材４１の上面には、長手方向に沿って所定長さ切り欠かれる切欠部４３７ｆ（４２７ｆ）が形成される。切欠部４３７ｆ（４２７ｆ）は、長尺形材４１の長手方向に直交する方向の屋根体４の先端側の端部において、長尺形材４１同士の接続部分における前後方向の端部以外の部分に形成される側方延出壁４３７ｂ（４２７ｂ）が切り欠かれて形成される。切欠部４３７ｆ（４２７ｆ）は、長尺形材４１の長手方向に直交する方向の所定幅で、側面カバー部８２が配置される側の端部から長尺形材４１の長手方向に沿って内側に所定長さ切り欠かれたポケット状に形成される。
【００８９】
切欠部４３７ｆ（４２７ｆ）には、カーポート１の施工時に、湿式シール部材４０３が塗工される。切欠部４３７ｆ（４２７ｆ）は、湿式シール部材４０３が塗工されない状態においては、長尺形材４１同士の接続部分において止水するビード材４０１の長手方向の端部が外部に露出するように切り欠かれている。切欠部４３７ｆ（４２７ｆ）において、カーポート１の施工時に、露出されたビード材４０１を覆うように、湿式シール部材４０３が塗工される。ビード材４０１、切欠部４３７ｆ（４２７ｆ）、及び湿式シール部材４０３は、連結端部止水部４８０（第１止水部）を構成する。
【００９０】
次に、カーポート１における雨水の流れについて説明する。
図１に示すカーポート１において、屋根体４の上面４ａに降り注いだ雨水は、屋根体４の上面４ａの傾斜に沿って、屋根体４の傾斜方向の上流側から下流側（左右方向の左側から右側）に流れる。そして、屋根体４の下流側に流された水は、屋根体端部側樋構造４０に流入する。屋根体端部側樋構造４０に流入した水は、支柱側樋構成部２０（図５参照）に流入する。
【００９１】
支柱側樋構成部２０に流入した水は、支柱側樋構成部２０を落下して、支柱２の下方において、支柱２の外部に排出される。
【００９２】
また、屋根体４の上面４ａに降り注いだ雨水は、屋根体４の上面４ａにおいて、前後方向の両端部に流れる。
ここで、長尺形材４１同士の接続部分には、図５及び図６に示すように、ビード材４０１が配置されている。そのため、屋根体４の上面４ａを流れる水を、長尺形材４１同士の接続部分において、ビード材４０１で止水できる。これにより、屋根体４の上面４ａを流れる水をビード材４０１により止水して、屋根体４の下面４ｂから、水が落下することを抑制できる。本実施形態では、ビード材取付凹部４３３の上面４３３ａには、側方延出壁４２７ｂが重なって配置される。このため、ビード材４０１が外部に直接露出されないため、ビード材４０１の耐候性を向上でき、ビード材４０１の劣化を低減できる。
【００９３】
また、屋根体４の上面４ａを流れる水は、長尺形材４１同士の接続部分がビード材４０１により止水されているため、ビード材４０１の上方側を、長尺形材４１同士の接続部分における長尺形材４１の縁部を伝わって水が流れる。
【００９４】
屋根体４の上面４ａの前後方向の両端部には、屋根体側部枠材８が配置される。屋根体側部枠材８の上面カバー部８１の下面には、下側凸部８１１及び上面シール部材８１４が設けられる。これにより、屋根体４の上面４ａの前後方向の端部に流れた水が、屋根体４の上面４ａと屋根体側部枠材８との間に浸入することを抑制できる。
【００９５】
また、図１０〜図１２（ｂ）に示すように、長尺形材４１同士の接続部分における前後方向の側面カバー部８２が配置される側の端部において、長尺形材４１には、連結端部止水部４８０（第１止水部）が設けられている。
【００９６】
連結端部止水部４８０（第１止水部）は、ビード材４０１、切欠部４３７ｆ（４２７ｆ）、及び湿式シール部材４０３を備えて構成される。切欠部４３７ｆ（４２７ｆ）は、長尺形材４１同士の接続部分における前後方向の側面カバー部８２が配置される側の端部において、長手方向に切り欠かれて形成される。湿式シール部材４０３は、ビード材４０１を覆うように塗工されている。連結端部止水部４８０は、長尺形材４１同士の接続部分の長手方向の端部において、長尺形材４１同士の接続部分を伝わる水を端部側において止水することができる。
【００９７】
また、ビード材４０１の部分や、連結端部止水部４８０（第１止水部）の部分や、屋根体側部枠材８の上面カバー部８１の下面に形成される下側凸部８１１の部分や、上面シール部材８１４の部分を水が通過した場合であっても、屋根体４の内部には、中段樋構成部４１０と下段樋構成部４２０とが段差状に２段で連続して設けられており、二重の止水部を構成する。ビード材４０１（止水部）の部分や、連結端部止水部４８０（第１止水部）の部分や、屋根体側部枠材８の上面カバー部８１の下側凸部８１１の部分や、上面シール部材８１４の部分を通過した水は、中段樋構成部４１０（第１の第２止水部）に流れる。中段樋構成部４１０（第１の第２止水部）から溢れた水は、下段樋構成部４２０（第２の第２止水部）に流れる。中段樋構成部４１０及び下段樋構成部４２０の２段の樋構造により、隣接する長尺形材４１の連結部分が延びる方向、即ち、長尺形材４１の長尺方向（長手方向）に沿って水を流して、止水できるため、屋根体４の下面４ｂから、水が落下することを一層抑制できる。
【００９８】
中段樋構成部４１０（第１の第２止水部）と下段樋構成部４２０（第２の第２止水部）とに導入された水は、屋根体４の前後方向の端部に向けて流れる。前後方向の端部に向けて流れた水は、屋根体側部枠材８に導入される（図７参照）。
【００９９】
屋根体側部枠材８に導入された水は、屋根体側部枠材８の下端部に配置される下方側内方延出部８３の水受け流路部８４０（図７参照）（第３止水部）に受け止められて、屋根体４の傾斜に沿って、屋根体４の左右方向の下流側に流される。屋根体側部枠材８の水受け流路部８４０において支柱２側に流された水は、屋根体４の下流側に流れて、屋根体４の下流側の端部から下方に落下する。
【０１００】
屋根体４の下流側の端部から下方に落下するのと同時に、水受け流路部８４０において下流側に流された水の一部は、屋根体４の下流側の端部から、屋根体４の下流側樋構成形材４２の下端部において下方に突出して設けられる水切りフィン４２５（図５及び図７参照）に伝わり、屋根体４の下流側樋構成形材４２の下流側の端部において、水切りフィン４２５を介して下方に落下する。水切りフィン４２５から水を落下させることで、屋根体４の下面４ｂ側に水が回り込むことを抑制できる。これにより、屋根体４の下面４ｂの端部でない部分から、水が落下することを抑制できる。
【０１０１】
ここで、水受け流路部８４０に水が流入した場合において、水受け流路部８４０の底面部８４３を流れる水の流れについて説明する。図１３は、水受け流路部８４０を流れる水を示す図であって、（ａ）、（ｂ）及び（ｃ）の順に水が充填される様子を示す図である。図１４は、水受け流路部８４０を流れる水が、水の表面張力により、屋根体４の下面４ｂにおいて、嵌合隙間４５１側へ移動せずに、水受け流路部８４０側に戻される様子を説明する図である。
【０１０２】
図１３（ａ）に示すように、水受け流路部８４０に流入した水が少量の場合には、水は、底面部８４３の基端側底面部８４１に流入して、基端側底面部８４１を水の流通方向の下流側に向けて流れる。
そして、水受け流路部８４０の底面部８４３を流れる水の量が増加すると、図１３（ｂ）に示すように、水は、突起８４６を乗り越えて、底面部８４３の先端側底面部８４２に流入して、基端側底面部８４１及び先端側底面部８４２を水の流通方向の下流側に向けて流れる。
更に、水受け流路部８４０の底面部８４３を流れる水が増加すると、図１３（ｃ）に示すように、水受け流路部８４０の底面部８４３と屋根体４の下面４ｂとの間に水が充満される。この状態で、水は、水の流通方向の下流側に向けて流れる。
【０１０３】
ここで、水受け流路部８４０を流れる水は、水受け流路部８４０が長手方向の他方側から一方側（屋根体４の左右方向の他方側から一方側）に向かうに従って下り傾斜するため、屋根体４の左右方向の他方側から一方側に向けて流れる。一方、屋根体４の下面４ｂにおいて、隣接する長尺形材４１同士の嵌合部分４５０の嵌合隙間４５１は、水受け流路部８４０が延びる方向に略直交して配置され、長尺形材４１の長手方向に沿って屋根体４の内側に延びている（図９参照）。
また、水受け流路部８４０の底面部８４３と屋根体４の下面４ｂとの間に水が充満した場合の水が流通する部分の断面積Ｓ１は、図１２（ａ）及び（ｂ）に示すように、隣接する長尺形材４１同士の嵌合部分４５０の嵌合隙間４５１の断面積Ｓ２よりも大きく構成される（Ｓ１＞Ｓ２）。
【０１０４】
そのため、図１３（ｃ）に示すように、水受け流路部８４０の底面部８４３と屋根体４の下面４ｂとの間に充満した場合に、水の表面張力は、隣接する長尺形材４１同士の嵌合部分の嵌合隙間４５１側よりも、水受け流路部８４０の底面部８４３の上方側に位置する屋根体４の下面４ｂ側が大きい。これにより、図１４に示すように、水受け流路部８４０を流れる水は、水の表面張力により、屋根体４の下面４ｂにおいて、水受け流路部８４０から屋根体４の内側の嵌合隙間４５１側へ移動せずに、水受け流路部８４０側に戻される。よって、屋根体４の下面４ｂにおいて、水受け流路部８４０を流れる水は、水受け流路部８４０側から、長尺形材４１同士の嵌合部分４５０に伝わることが抑制され、水受け流路部８４０の水の流通方向の下流側へ流れる。従って、屋根体４の下面４ｂからの水の落下を抑制でき、排水性能を向上できる。
【０１０５】
以上説明した本実施形態の屋根体４によれば、以下のような効果を奏する。
本実施形態の屋根体４は、所定方向に並んで連設されて互いが嵌合して連結される複数の長尺形材４１を有する屋根体４であって、屋根体４の端部において屋根体４の下面４ｂの下方に配置され、複数の長尺形材４１が並ぶ方向に延びて形成されると共に、屋根体４の端部から排出される水を底面部８４３で受け止めて流通させる水受け流路部８４０を備え、水受け流路部８４０は、水受け流路部８４０の底面部８４３と屋根体４の下面４ｂとの間に水を充満可能に屋根体４の下面４ｂの下方に配置されると共に、屋根体４の下面４ｂの下方において隣接する長尺材４１の嵌合部分４５０に跨って形成され、屋根体４の下面４ｂと水受け流路部８４０の底面８４３との間に水が充満した場合における水が流通する部分の断面積Ｓ１は、隣接する長尺形材４１同士の嵌合部分４５０において下方に開放する嵌合隙間４５１の断面積Ｓ２よりも大きい。
【０１０６】
そのため、水受け流路部８４０の底面部８４３と屋根体４の下面４ｂとの間に充満した場合の水の表面張力は、隣接する長尺形材４１同士の嵌合部分の嵌合隙間４５１側よりも、水受け流路部８４０の底面部８４３の上方側に位置する屋根体４の下面４ｂ側が大きい。これにより、水受け流路部８４０を流れる水は、水の表面張力により、屋根体４の下面４ｂにおいて、水受け流路部８４０から屋根体４の内側の嵌合隙間４５１側へ移動せずに、水受け流路部８４０側に戻される。よって、屋根体４の下面４ｂにおいて、水受け流路部８４０を流れる水は、水受け流路部８４０側から、長尺形材４１同士の嵌合部分４５０に伝わることが抑制され、水受け流路部８４０の水の流通方向の下流側へ流れる。従って、屋根体４の下面４ｂからの水の落下を抑制でき、排水性能を向上できる。
【０１０７】
また、本実施形態においては、水受け流路部８４０の底面部８４３は、水受け流路部８４０の長手方向の他方側から一方側に向かうに従って下る下り傾斜に形成される。そのため、水受け流路部８４０を流れる水は、下り傾斜方向に沿って流れ易い。これにより、隣接する長尺形材４１同士の嵌合部分の嵌合隙間４５１側へ流れるよりも、水受け流路部８４０の傾斜方向に流れ易くなる。従って、排水性能を一層向上できる。
【０１０８】
また、本実施形態においては、水受け流路部８４０の底面部８４３の幅方向の中央寄りには、水受け流路部８４０の長手方向に延びる突起８４６が設けられる。そのため、底面部８４３の幅方向の中央寄りにおいて、水受け流路部８４０を突起８４６により分断することができる。これにより、基端側底面部８４１又は先端側底面部８４２を流通する水の量が多い場合に、基端側底面部８４１又は先端側底面部８４２から溢れた水は、突起８４６を乗り越えて、互いに行き来きできる。これにより、水受け流路部８４０は、突起８４６で分断した基端側底面部８４１及び先端側底面部８４２に水を流通させることができるため、水受け流路部８４０の流通方向に多量の水を流すことができる。よって、排水性能を一層向上できる。
【０１０９】
以上、本発明の屋根体４及びカーポート（屋根構造体）の好ましい一実施形態について説明したが、本発明は、上述した実施形態に制限されるものではなく、適宜変更が可能である。
【０１１０】
例えば、前記実施形態においては、水受け流路部８４０の底面部８４３に突起８４６（凸部）を設けたが、これに限定されない。例えば、図１５に示すように、水受け流路部８４０Ａの底面部８４３Ａに突起（凸部）を設けなくてもよい。図１５は、変形形態を示す図であって、前記実施形態の図１２（ａ）に対応する断面図である。図１５の説明において、図１２（ａ）と同様の構成については、図１２（ａ）の説明を援用して、図１５の説明を省略する。
【０１１１】
図１５の変形形態は、図１２（ａ）の実施形態における水受け流路部８４０の底面部８４３に突起８４６（凸部）を備えない点において、図１２（ａ）に示す構成と主に異なる。
図１５に示すように、変形形態の屋根体側部枠材８Ａは、上面カバー部８１（上面板部）と、側面カバー部８２（上下方向延在部）と、下方側内方延出部８３Ａ（下面板部）と、を有する。下方側内方延出部８３Ａは、側面カバー部８２の下方側の内面から長尺形材４１側に延出する延出接続部８３１と、延出接続部８３１の内側の端部に接続される水受け流路部８４０Ａと、を有する。図１５に示す変形形態には、水受け流路部８４０Ａの底面部８４３Ａには、図１２（ａ）における突起（凸部）が設けられていない。
【０１１２】
図１５に示す変形形態においては、屋根体４の下面４ｂと水受け流路部８４０Ａの底面部８４３Ａとの間に水が充満した場合における水が流通する部分の断面積Ｓ１Ａは、隣接する長尺形材４１同士の嵌合部分４５０において下方に開放する嵌合隙間４５１の断面積Ｓ２（図１２（ｂ）参照）よりも大きい（Ｓ１Ａ＞Ｓ２）。例えば、屋根体４の下面４ｂと水受け流路部８４０Ａの底面部８４３Ａとの間に水が充満した場合における水が流通する部分の断面積Ｓ１Ａは、１５〜５０ｍｍ２程度であり、隣接する長尺形材４１同士の嵌合部分４５０において下方に開放する嵌合隙間４５１の断面積Ｓ２は、３〜５ｍｍ２程度である。
【０１１３】
以上の変形形態によれば、前記実施形態と同様に、水受け流路部８４０Ａを流れる水は、水の表面張力により、屋根体４の下面４ｂにおいて、水受け流路部８４０Ａから屋根体４の内側の嵌合隙間４５１側へ移動せずに、水受け流路部８４０Ａ側に戻される。よって、屋根体４の下面４ｂにおいて、水受け流路部８４０Ａを流れる水は、水受け流路部８４０Ａ側から、長尺形材４１同士の嵌合部分４５０に伝わることが抑制され、水受け流路部８４０Ａの水の流通方向の下流側へ流れる。従って、屋根体４の下面４ｂからの水の落下を抑制でき、排水性能を向上できる。
【０１１４】
また、前記実施形態においては、屋根体４を梁３の下方において梁３に直接的に接続（固定）して構成したが、これに限定されず、屋根体４を他の部材を介して間接的に梁に接続（固定）して構成してもよい。
【０１１５】
また、前記実施形態においては、屋根体４は、梁３に吊られて構成されていたが、これに限定されず、梁３の上方に配置される構成であってもよい。
【０１１６】
また、前記実施形態においては、カーポートを、屋根体４を左右方向の両側それぞれにおいて一対の支柱２で支持する、いわゆる、両支持構造のカーポートにより説明したが、これに限定されず、屋根体４を左右方向の一方の端部を支柱で支持する、いわゆる、片持ち構造のカーポートでもよい。
【符号の説明】
【０１１７】
４  屋根体
４ｂ  下面
４１  長尺形材（長尺材）
４５０  嵌合部分
４５１  嵌合隙間
８４０、８４０Ａ  水受け流路部
８４３、８４３Ａ  底面部（底面）
８４６  突起（凸部）
Ｓ１  断面積
Ｓ１Ａ  断面積
Ｓ２  断面積
【図１】
2019131999.tif 000003
【図２】
2019131999.tif 000004
【図３】
2019131999.tif 000005
【図４】
2019131999.tif 000006
【図５】
2019131999.tif 000007
【図６】
2019131999.tif 000008
【図７】
2019131999.tif 000009
【図８】
2019131999.tif 000010
【図９】
2019131999.tif 000011
【図１０】
2019131999.tif 000012
【図１１】
2019131999.tif 000013
【図１２】
2019131999.tif 000014
【図１３】
2019131999.tif 000015
【図１４】
2019131999.tif 000016
【図１５】
2019131999.tif 000017